【手続補正書】
【提出日】平成26年3月24日(2014.3.24)
【手続補正１】
【補正対象書類名】特許請求の範囲
【補正対象項目名】全文
【補正方法】変更
【補正の内容】
【特許請求の範囲】
【請求項１】
生体高分子物品のための添加剤であって、
前記添加剤の総重量の１０〜９０重量％の少なくとも１つの衝撃改質剤と、
担体樹脂に混ぜ合わされた少なくとも１つの顔料／染料であって、前記担体樹脂が前記添加剤の総重量の１０〜９０重量％である、前記顔料／染料と
を有する、添加剤。
【請求項２】
請求項１記載の添加剤において、前記少なくとも１つの衝撃改質剤はエチレン共重合体であり、且つ前記少なくとも１つの顔料／染料がＴｉＯ２系である、添加剤。
【請求項３】
請求項１記載の添加剤において、前記少なくとも１つの担体樹脂はポリ乳酸ポリマー（ＰＬＡ）、脂肪族−芳香族化合物のポリエステル類ポリマー、ポリ（３−ヒドロキシアルカノエート）ポリマー（ＰＨＡ）、ポリカプロラクトン、および官能性ポリ乳酸から成る群から選択される材料である、添加剤。
【請求項４】
ペレットであって、
前記ペレットの総重量の１０〜９０重量％の少なくとも１つの衝撃改質剤と、
前記ペレットの総重量の５〜５０重量％の少なくとも１つの高分子着色剤濃縮物と、
前記ペレットの総重量の５〜５０重量％の少なくとも１つの担体樹脂と
を有する、ペレット。
【請求項５】
請求項４記載のペレットにおいて、前記少なくとも１つの衝撃改質剤はエチレン共重合体であり、前記少なくとも１つの高分子着色剤濃縮物がＴｉＯ２系であり、且つ前記少なくとも１つの担体樹脂が、ポリ乳酸ポリマー（ＰＬＡ）、脂肪族−芳香族化合物のポリエステル類ポリマー、ポリ（３−ヒドロキシアルカノエート）ポリマー（ＰＨＡ）、ポリカプロラクトン、および官能性ポリ乳酸から成る群から選択される材料である、ペレット。
【請求項６】
添加剤を形成する方法であって、
少なくとも１つの衝撃改質剤、少なくとも１つの高分子着色剤濃縮物、および少なくとも１つの担体樹脂を提供する工程と、
添加剤混合物を形成するために前記少なくとも１つの衝撃改質剤、前記少なくとも１つの高分子着色剤濃縮物、および前記少なくとも１つの担体樹脂を混合する工程であって、前記少なくとも１つの衝撃改質剤は前記添加剤混合物の総重量の１０〜９０重量％であり、前記少なくとも１つの高分子着色剤濃縮物は前記添加剤混合物の総重量の５〜５０重量％であり、および前記少なくとも１つの担体樹脂は前記添加剤混合物の総重量の５〜５０重量％である、前記混合する工程と、
前記添加剤混合物を形作る工程と
を有する方法。
【請求項７】
生体高分子物品であって、
前記生体高分子物品の総重量パーセントの７５〜９２重量％の少なくとも１つの生体高分子樹脂と、
前記生体高分子物品の総重量パーセントの８〜２５重量％の添加剤と
を有する生体高分子物品であり、前記添加剤は、
前記添加剤の総重量の１０〜９０重量％の少なくとも１つの衝撃改質剤と、
前記添加剤の総重量の５〜５０重量％の少なくとも１つの高分子着色剤濃縮物と、
前記添加剤の総重量の５〜５０重量％の少なくとも１つの担体樹脂と
を有し、
前記生体高分子物品は、約１０ミル〜８０ミルの所定の厚みおよび３〜１５０インチ−ポンドのガードナー衝撃値を含む耐衝撃性を有するものである、生体高分子物品。
【請求項８】
請求項７記載の物品において、前記所定の耐衝撃性は３０ミルの厚さで約１７インチ−ポンドのガードナー衝撃値である、物品。
【請求項９】
請求項７記載の物品において、前記少なくとも１つの生体高分子樹脂は前記物品の総重量の７０〜９０重量％であり、前記少なくとも１つの衝撃改質剤は前記物品の総重量の５〜１５重量％であり、および前記少なくとも１つの高分子着色剤濃縮物は前記物品の総重量の５〜１５重量％である、物品。
【請求項１０】
請求項７記載の物品において、前記担体樹脂は官能性ポリ乳酸ポリマーである、物品。
【請求項１１】
請求項７記載の物品において、前記生体高分子樹脂はポリ乳酸ポリマー（ＰＬＡ）、脂肪族−芳香族化合物のポリエステル類ポリマー、およびポリ（３−ヒドロキシアルカノエート）ポリマー（ＰＨＡ）から成る群から選択される樹脂である、物品。
【請求項１２】
請求項７記載の物品において、前記衝撃改質剤はエチレン共重合体であり、且つ前記高分子着色剤濃縮物はＴｉＯ２である、物品。
【請求項１３】
請求項７記載の物品において、１０：１から１：４、１０：１から２：１、８：１から４：１、２：１から１：４の比率から選択される深さ対幅の比率を有する、物品。
【請求項１４】
請求項７記載の物品において、当該物品は複数の区画の分離カップに熱形成されているものであり、前記カップは深さ対幅の比率が１０：１から２：１であり、前記複数の区画は個々の区画に分離するための刻み目が付けられているものである、物品。
【請求項１５】
生体高分子押出シートであって、
前記押出シートの総重量の７０〜９２重量％である少なくとも１つの生体高分子樹脂と、前記シートの総重量の８〜３０重量％である添加剤とを有し、
前記添加剤は、
前記添加剤の総重量の１０〜９０重量％である少なくとも１つの衝撃改質剤と、
前記添加剤の総重量の５〜５０重量％である少なくとも１つの高分子着色剤濃縮物と、
前記添加剤の総重量の５〜５０重量％である少なくとも１つの担体樹脂と
を有し、
前記押出シートは３０ミルの厚さで約１７インチ−ポンドの所定の厚みおよび耐衝撃性を有するものである、生体高分子押出シート。
【手続補正２】
【補正対象書類名】明細書
【補正対象項目名】０００４
【補正方法】変更
【補正の内容】
【０００４】
前述の理由より、生体高分子物品の機能を強化する添加剤を有することが望ましい。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  米国特許出願公開第２００９／０２８１２０３号明細書
（特許文献２）  米国特許第５８７４４８６号明細書
（特許文献３）  米国特許第７３８１７７２号明細書
（特許文献４）  米国特許第６９１７７０号明細書
（特許文献５）  米国特許第６３２９４６５号明細書
（特許文献６）  米国特許第６８７２６７４号明細書
（特許文献７）  米国特許第６４９５６５６号明細書
（特許文献８）  米国特許第５８８３１９９号明細書
（特許文献９）  米国特許第６９４３２１４号明細書
（特許文献１０）  米国特許第７５９５３６３号明細書
（特許文献１１）  米国特許第５２５２６４２号明細書
（特許文献１２）  米国特許第７９０２２７４号明細書
（特許文献１３）  米国特許出願公開第２０１０／０２８０１９３号明細書
（特許文献１４）  米国特許出願公開第２００９／００９９３１３号明細書
（特許文献１５）  米国特許出願公開第２００９／０１９１３７１号明細書
（特許文献１６）  米国特許出願公開第２００９／０２０９７０４号明細書
（特許文献１７）  米国特許出願公開第２００８／０１１９５８９号明細書
（特許文献１８）  米国特許出願公開第２００９／０１５６７３２号明細書
（特許文献１９）  国際公開第２０１０／１２７３４１号
（特許文献２０）  米国特許第６３１２６３９号明細書
（特許文献２１）  米国特許出願公開第２００８／００２７１７８号明細書
（特許文献２２）  米国特許第５７８２３７６号明細書
（特許文献２３）  国際公開第２００７／１２９８９３号
（特許文献２４）  米国特許第５８７４４８６号明細書
（特許文献２５）  米国特許第６９１６７７０号明細書
（特許文献２６）  米国特許第６３２９４６５号明細書
（特許文献２７）  米国特許出願公開第２００９／０２８１２０３号明細書
（非特許文献）
（非特許文献１）  "Ｉｍｐａｃｔ  ｍｏｄｉｆｉｅｒｓ：  ｈｏｗ  ｔｏ  ｍａｋｅ  ｙｏｕｒ  ｃｏｍｐｏｕｎｄ  ｔｏｕｇｈｅｒ，Ｐｌａｓｔｉｃｓ，Ａｄｄｉｔｉｖｅｓ  ａｎｄ  Ｃｏｍｐｏｕｎｄｉｎｇ，"Ｖｏｌｕｍｅ  ６，Ｉｓｓｕｅ  ３，Ｍａｙ−Ｊｕｎｅ  ２００４，Ｐａｇｅｓ  ４６−４９，ＩＳＳＮ  １４６４−３９１  Ｘ，１０．１  ０１６／Ｓ１４６４−３９１  Ｘ（０４）００２０３−Ｘ．（ｈｔｔｐ：／／ｗｗｗ．ｓｃｉｅｎｃｅｄｉｒｅｃｔ．ｃｏｍ／ｓｃｉｅｎｃｅ／ａｒｔｉｃｌｅ／ｐｉ  ｉｌＳ  １４６４３９１  Ｘ０４００２０３Ｘ）
（非特許文献２）  "Ｆｕｎｃｔｉｏｎａｌｉｚｅｄ  Ｐｏｌｙｍｅｒｓ，"ＤｕＰｏｎｔ，１９  Ｄｅｃｅｍｂｅｒ  ２００８．（ｈｔｔｐ：／／ｗｅｂ．ａｒｃｈｉｖｅ．ｏｒｇ／ｗｅｂ／２００８１２１９０１１９４１  ／ｈｔｔｐ：／／ｗｗｗ２．ｄｕｐｏｎｔ．ｃｏｍｌＤｉｒｅｃｔｏｒｉｅｓ／ｅｎ＿ＵＳ／Ｐｒｏｄｕｃｔｓ＿Ｓｅｒｖｉｃｅｓ＿ｌｎｄｅｘ／Ｐｌａｓｔｉｃｓ＿Ｐｏｌｙｍｅｒｓ＿Ｅｌａｓｔｏｍｅｒｓ／Ｆｕｎｃｔｉｏｎａｌｉｚｅｄ＿Ｐｏｌｙｍｅｒｓ．ｈｔｍｌ）
（非特許文献３）  Ｎｏｌａｎ−ＩＴＵ，"Ｅｎｖｉｒｏｎｍｅｎｔ  Ａｕｓｔｒａｌｉａ  Ｂｉｏｄｅｇｒａｄａｂｌｅ  Ｐｌａｓｔｉｃｓ−Ｄｅｖｅｌｏｐｍｅｎｔｓ  ａｎｄ  Ｅｎｖｉｒｏｎｍｅｎｔａｌ  Ｉｍｐａｃｔｓ，"Ｏｃｔｏｂｅｒ  ２００２．（ｈｔｔｐ：／／ｗｗｗ．ｅｎｖｉｒｏｎｍｅｎｔ．ｇｏｖ．ａｕ／ａｒｃｈｉｖｅ／ｓｅｔｔｌｅｍｅｎｔｓ／ｐｕｂｌｉｃａｔｉｏｎｓ／ｗａｓｔｅ／ｄｅｇｒａｄａｂｌｅｓ／ｂｉｏｄｅｇｒａｄａｂｌｅ／ｐｕｂｓ／ｂｉｏｄｅｇｒａｄａｂｌｅ．ｐｄｆ）
（非特許文献４）  "Ｅｎｈａｎｃｉｎｇ  Ｂｉｏｐｏｌｙｍｅｒｓ：  Ａｄｄｉｔｉｖｅｓ  Ａｒｅ  Ｎｅｅｄｅｄ  ｆｏｒ  Ｔｏｕｇｈｎｅｓｓ，Ｈｅａｔ  Ｒｅｓｉｓｔａｎｃｅ  &  Ｐｒｏｃｅｓｓａｂｉｌｉｔｙ，"Ｐｌａｓｔｉｃｓ  Ｔｅｃｈｎｏｌｏｇｙ，Ｊｕｌｙ  ２００８．（ｈｔｔｐ：／／ｗｗｗ．ｐｔｏｎｌｉｎｅ．ｃｏｍ／ａｒｔｉｃｌｅｓ／ｅｎｈａｎｃｉｎｇ−ｂｉｏｐｏｌｙｍｅｒｓ−ａｄｄｉｔｉｖｅｓ−ａｒｅ−ｎｅｅｄｅｄ−ｆｏｒ−ｔｏｕｇｈｎｅｓｓ−ｈｅａｔ−ｒｅｓｉｓｔａｎｃｅｐｒｏｃｅｓｓａｂｉｌｉｔｙ）
（非特許文献５）  "Ｔｉｔａｎｉｕｍ  Ｄｉｏｘｉｄｅ，"Ｗｉｋｉｐｅｄｉａ．（ｈｔｔｐ：／／ｗｅｂ．ａｒｃｈｉｖｅ．ｏｒｇ／ｗｅｂ／２００９０２２６１２４５０１／ｈｔｔｐ：／ｅｎ．ｗｉｋｉｐｅｄｉａ．ｏｒｇ／ｗｉｋｉｉＴｉｔａｎｉｕｍ＿ｄｉｏｘｉｄｅ）
（非特許文献６）  ＰＣＴ／ＵＳ１１／２９４５３，Ｉｎｔｅｒｎａｔｉｏｎａｌ  Ｓｅａｒｃｈ  Ｒｅｐｏｒｔ  ａｎｄ  Ｗｒｉｔｔｅｎ  Ｏｐｉｎｉｏｎ  ｏｆ  ｔｈｅ  Ｉｎｔｅｒｎａｔｉｏｎａｌ  Ｓｅａｒｃｈｉｎｇ  Ａｕｔｈｏｒｉｔｙ，Ｍａｙ  ２３，２０１１．